(57)【要約】    【課題】  低コストで望遠鏡のブレや転倒を防止する。    【解決手段】  望遠鏡２１０は望遠鏡本体１１と望遠鏡本体１１の下部に設けられた三脚取付部４４と三脚基板４１とを備えている。三脚基板４１はシルクハット状であり、その中央部４１ａに三脚ねじが螺合するめねじ４２が、つば部４１ｂにガイド部４３と係合する溝４１ｂ−１が形成されている。三脚基板４１は三脚取付部４４の対向する側面部に設けられた前後方向へ延びる一対のガイド部４３に案内されて前後方向へ移動する。【選択図】        図５
2007047464.tif 000002
【特許請求の範囲】
【請求項１】
望遠鏡本体と、
この望遠鏡本体の三脚取り付け側に設けられた三脚連結部材取付部と、
この三脚連結部材取付部に装着され、三脚の雲台に対する前記三脚連結部材取付部の望遠鏡光軸方向の相対位置を変更する位置変更部材を有する三脚連結部材と
を備えていることを特徴とする望遠鏡。
【請求項２】
前記位置変更部材がめねじであり、前記三脚連結部材取付部に対する前記三脚連結部材の装着の向きが反転可能であり、前記位置変更部材の前記光軸方向の位置が変更可能であることを特徴とする請求項１記載の望遠鏡。
【請求項３】
前記位置変更部材がめねじであり、前記三脚連結部材が前記三脚連結部材取付部のガイド部に望遠鏡光軸方向へ移動可能に装着されていることを特徴とする請求項１記載の望遠鏡。
【請求項４】
望遠鏡本体の三脚取り付け側に設けられた三脚連結部材取付部に装着され、三脚の雲台に対する前記三脚連結部材取付部の望遠鏡光軸方向の相対位置を変更する位置変更部材を備えていることを特徴とする三脚連結部材。
【請求項５】
前記三脚連結部材取付部に対して着脱可能であることを特徴とする請求項４記載の三脚連結部材。
【発明の詳細な説明】
【技術分野】
【０００１】
この発明は望遠鏡及び三脚連結部材に関する。
【背景技術】
【０００２】
例えば野鳥の観察や撮影は地上望遠鏡（以下望遠鏡という）を三脚に装着して行なわれることがある。このとき、望遠鏡本体に対して倍率、視界の範囲等に応じて重量の異なる接眼レンズ部を使い分けたり、望遠鏡本体又は接眼レンズ部の後部にカメラを装着したりする。
【０００３】
観察、撮影中、望遠鏡の適切な重心位置に三脚が装着されていないと、望遠鏡の安定性が悪く、望遠鏡がブレたり、転倒したりし易い。
【０００４】
これを防ぐものとして、従来三脚ねじを前後方向（望遠鏡光軸方向）へ移動できる雲台を採用して、望遠鏡の安定性をよくした三脚が知られている（学研・「四季の写真」  ２００３年１２／１月号参照）。この三脚によれば、望遠鏡のブレや転倒を防止することができる。
【非特許文献１】学研・「四季の写真」  ２００３年１２／１月号
【発明の開示】
【発明が解決しようとする課題】
【０００５】
しかし、上記三脚は市販されている多くの望遠鏡に対応できるように構成されているため、雲台の構造が複雑となり、雲台は大型で重かった。したがって、三脚が大型で高価になる。
【０００６】
この発明はこのような事情に鑑みてなされたもので、その課題は低コストで望遠鏡のブレや転倒を防止することである。
【課題を解決するための手段】
【０００７】
前述の課題を解決するため請求項１記載の発明は、望遠鏡本体と、この望遠鏡本体の三脚取り付け側に設けられた三脚連結部材取付部と、この三脚連結部材取付部に装着され、三脚の雲台に対する前記三脚連結部材取付部の望遠鏡光軸方向の相対位置を変更する位置変更部材を有する三脚連結部材とを備えていることを特徴とする。
【０００８】
請求項２記載の発明は、請求項１記載の望遠鏡において、前記位置変更部材がめねじであり、前記三脚連結部材取付部に対する前記三脚連結部材の装着の向きが反転可能であり、前記位置変更部材の前記光軸方向の位置が変更可能であることを特徴とする。
【０００９】
請求項３記載の発明は、請求項１記載の望遠鏡において、前記位置変更部材がめねじであり、前記三脚連結部材が前記三脚連結部材取付部のガイド部に望遠鏡光軸方向へ移動可能に装着されていることを特徴とする。
【００１０】
請求項４記載の発明は、望遠鏡本体の三脚取り付け側に設けられた三脚連結部材取付部に装着され、三脚の雲台に対する前記三脚連結部材取付部の望遠鏡光軸方向の相対位置を変更する位置変更部材を備えていることを特徴とする。
【００１１】
請求項５記載の発明は、請求項４記載の三脚連結部材において、前記三脚連結部材取付部に対して着脱可能であることを特徴とする。
【発明の効果】
【００１２】
この発明によれば、低コストで望遠鏡のブレや転倒を防止することができる。
【発明を実施するための最良の形態】
【００１３】
以下この発明の実施の形態を図面に基づいて説明する。
【００１４】
図１（ａ）はこの発明の第１実施形態に係る望遠鏡の一部を破断して示した側面図、図１（ｂ）は３種類の三脚基板の断面を示す概念図、図１（ｃ）はねじの断面を示す概念図、図２、図３は三脚の雲台に対する三脚取付部の光軸方向の位置を変更したときの望遠鏡の一部を破断して示した側面図である。ただし、図２、図３では雲台の図示は省略されている。
【００１５】
望遠鏡１０は円筒状の望遠鏡本体１１と三脚取付部（三脚連結部材取付部）２４と三脚基板（三脚連結部材）２１とを備えている。
【００１６】
望遠鏡本体１１の一端には対物レンズ部１２が、他端には接眼レンズ部１３がそれぞれ設けられている。
【００１７】
三脚取付部２４は望遠鏡本体１１の下部に設けられている。三脚取付部２４の対物レンズの光軸方向へ延びる。
【００１８】
三脚基板２１はねじ２３によって三脚取付部２４に固定されている。ねじ２３は頭部２３ａにマイナス溝がある平ねじである。ねじ２３をコインＣで回すことができる（図１（ｃ）参照）。
【００１９】
また、三脚基板２１は三脚の雲台８０に対する三脚取付部２４の対物レンズの光軸方向の相対位置を変更するためのめねじ（位置変更部材）２２を有する。三脚基板２１の他にめねじ２２の位置（三脚基板２１の長手方向の位置）が異なる三脚基板２６，２７，２８が用意されている(図１（ｂ）参照)。
【００２０】
三脚の雲台８０に対して三脚取付部２４の前後方向の位置を変更するには、まずめねじ２２に螺合された三脚ねじ（図示せず）を緩めて雲台８０から望遠鏡１０を外す。次に、ねじ２３を緩めて三脚取付部２４から三脚基板２１を外す。その後、三脚基板２６，２７，２８の中から例えば三脚基板２７を選択する。次に、ねじ２３によって三脚基板２７を三脚取付部２４に固定する。最後に、三脚ねじをめねじ２２に螺合して望遠鏡１０を三脚に固定する（図２参照）。このようにして、雲台８０に対する望遠鏡１０の設置位置を変えることができ、望遠鏡１０の重心位置に三脚が装着される。なお、図３は三脚基板２１に代えて三脚基板２８を選択・使用した状態を示す。
【００２１】
この実施形態によれば、雲台８０との取付位置が異なる三脚基板を任意に取り付けることができるため、従来例のように大型で重い雲台を用いることなく、望遠鏡１０の適切な重心位置に三脚を装着させて望遠鏡１０の安定性をよくすることができるので、低コストで望遠鏡１０のブレや転倒を防止できる。
【００２２】
なお、図示しないが、三脚基板を交換するのではなく、対物レンズの光軸方向に対する三脚基板の装着方向を反転させることによって三脚取付部２４の対物レンズの光軸方向の位置を変更するようにしてもよい。
【００２３】
図４はこの発明の第２実施形態に係る望遠鏡の一部を破断して示した側面図であり、第１実施形態と共通する部分には同一符号を付してその説明を省略する。
【００２４】
望遠鏡１１０は望遠鏡本体１１と三脚取付部（三脚連結部材取付部）３４と三脚基板（三脚連結部材）３１とを備えている。
【００２５】
三脚取付部３４は望遠鏡本体１１の下部に設けられている。三脚取付部３４は対物レンズの光軸方向へ延びる。
【００２６】
三脚基板３１はねじ３５によって三脚取付部３４に固定されている。ねじ３５は例えば頭部に十字溝があるナベねじである。
【００２７】
また、三脚基板３１は三脚の雲台８０（図１参照）に対する三脚取付部３４の対物レンズの光軸方向の相対位置を変更するめねじ（位置変更部材）３２を有する。複数のめねじ３２が三脚基板３１の長手方向に沿って配列されている(図２参照)。
【００２８】
三脚の雲台８０に対する三脚取付部３４の対物レンズの光軸方向の位置を変更するには、まずめねじ３２に螺合された三脚ねじ（図示せず）を緩めて雲台８０から望遠鏡１１０を外す。次に、異なる位置のめねじ３２に三脚ねじを螺合して三脚に望遠鏡１１０を固定する。このようにして、望遠鏡１１０の重心位置に三脚が装着される。
【００２９】
この実施形態によれば、第１実施形態と同様の効果を奏するとともに、１つの三脚基板３１しか使わないので、製造コストをより低減することができる。また、三脚取付部３４に対して三脚基板を取り外すことがないので、位置変更がより容易となる。
【００３０】
図５（ａ）はこの発明の第３実施形態に係る望遠鏡の一部を破断して示した側面図、図５（ｂ）は三脚取付部と三脚基板との固定状態を説明するための断面を示す概念図であり、第１実施形態と共通する部分には同一符号を付してその説明を省略する。
【００３１】
望遠鏡２１０は望遠鏡本体１１と三脚取付部（三脚連結部材取付部）４４と三脚基板（三脚連結部材）４１とを備えている。
【００３２】
三脚取付部４４は望遠鏡本体１１の下部に設けられている。三脚取付部４４は対物レンズの光軸方向へ延びる。また、三脚取付部４４と対向する側面部には対物レンズの光軸方向へ延びる一対のガイド部４３が設けられている。
【００３３】
三脚基板４１はハット状である。三脚基板４１の中央部４１ａにめねじ（位置変更部材）４２が形成されている。三脚基板４１のつば部４１ｂにはガイド部４３と係合する溝４１ｂ−１が形成されている。三脚基板４１はガイド部４３に案内されて対物レンズの光軸方向へ移動する。
【００３４】
三脚取付部４４の一方の側面部には三脚基板４１を他方の側面部へ押し付けて三脚基板４１の移動を阻止するためのレバー４５が配置されている。レバー４５はおねじ部４５ａに固定されている。おねじ部４５ａは一方の側面部のめねじ部４４ａと螺合し、レバー４５の回転にしたがって進退する。おねじ部４５ａの先端部は対物レンズの光軸方向へ延びる板材４５ｂと対向する。板材４５ｂはおねじ部４５ａの進退方向と同じ方向へ移動可能に三脚取付部４４に保持されている。おねじ部４５ａが板材４５ｂ方向へ前進したとき、板材４５ｂによって三脚基板４１が他方の側面部へ押し付けられる。
【００３５】
三脚の雲台８０（図１参照）に対する三脚取付部４４の対物レンズの光軸方向の位置を変更するには、まずレバー４５を回転させておねじ部４５ａを板材４５ｂから離れる方向へ後退させ、三脚基板４１が三脚取付部４４に対して対物レンズの光軸方向へ移動できるようにする。次に、三脚基板４１を所定の位置へ移動させる。その後、レバー４５を回転させておねじ部４５ａを前進させ、板材４５ｂを介して三脚基板４１を他方の側面部へ押し付け、三脚基板４１を三脚取付部４４に固定させる。このようにして、望遠鏡２１０の重心位置に三脚が装着される。
【００３６】
この実施形態によれば、第１実施形態と同様の効果を奏する。また、三脚基板４１は移動するものであるから、第１、第２実施形態に比べてより細かな位置設定が可能となる。
【００３７】
なお、三脚基板を、三脚取付部に固定される板状の連結部材本体と、この連結部材本体に形成されたガイド部（三脚取付部４４のガイド部４３に対応）に対物レンズの光軸方向へ移動可能に装着された可動部（第３実施形態の三脚基板４１に対応）とで構成するようにしてもよい。めねじ（位置変更部材）は可動部に設けられている。
【００３８】
図６はこの発明の第４実施形態に係る望遠鏡の一部を破断して示した側面図であり、第１実施形態と共通する部分には同一符号を付してその説明を省略する。
【００３９】
望遠鏡３１０は望遠鏡本体１１と三脚取付部（三脚連結部材取付部）６４と三脚基板（三脚連結部材）６１とを備えている。
【００４０】
三脚取付部６４は望遠鏡本体１１の下部に設けられている。三脚取付部６４は対物レンズの光軸方向へ延びる。三脚取付部６４は下方から見たとき矩形状をしている。三脚取付部６４には三脚基板６１を三脚取付部６４に固定するためのねじ２３が螺合されるねじ穴６５が対物レンズの光軸方向に配列されている。
【００４１】
三脚基板６１は三脚の雲台に対する三脚取付部６４の対物レンズの光軸方向の相対位置を変更するめねじ（位置変更部材）６２を有する。
【００４２】
三脚に対する三脚取付部６４の対物レンズの光軸方向の位置を変更するには、まずめねじ６２に螺合された三脚ねじ（図示せず）を緩めて三脚から望遠鏡３１０を外す。次に、ねじ２３を緩めて三脚基板６１を三脚取付部６４から外す。その後、三脚基板６１を対物レンズの光軸方向の異なる位置に移動させ、ねじ２３によって三脚基板６１を三脚取付部６４に固定する。最後に、三脚ねじをめねじ６２に締め込んて三脚に望遠鏡３１０を固定させる。このようにして、望遠鏡３１０の重心位置に三脚が装着される。
【００４３】
この実施形態によれば、第１実施形態と同様の効果を奏する。
【００４４】
図７（ａ）はこの発明の第５実施形態に係る望遠鏡の一部を破断して示した側面図、図７（ｂ）は望遠鏡を三脚の雲台に装着した状態の断面を示す概念図であり、第１実施形態と共通する部分には同一符号を付してその説明を省略する。
【００４５】
望遠鏡４１０は望遠鏡本体１１と三脚取付部（三脚連結部材取付部）７４と三脚基板（三脚連結部材）７１とを備えている。
【００４６】
三脚取付部７４は望遠鏡本体１１の下部に設けられている。三脚取付部７４は対物レンズの光軸方向へ延びる。
【００４７】
三脚基板７１はねじ５３によって三脚取付部７４に固定されている。ねじ５３は頭部に十字溝があるナベねじである。三脚基板７１の断面形状はほぼ皿状である。三脚基板７１の側壁７２の内面が三脚取付部７４の下端に当接している。三脚基板７１の側壁７２の外面は傾斜面（位置変更部材）７３となっている（図７（ｂ）参照）。
【００４８】
三脚基板７１の傾斜面７３は、三脚の雲台９０の上端に設けられた板部９０Ａと、雲台９０のめねじ９５に螺合されたねじ９１に支持された板部９０Ｂとによって、前後方向へ移動可能に支持されている。板部９０Ａの上端には傾斜面７３を押す突起部９０Ａ−１が形成されている。また、板部９０Ｂの上端には傾斜面７３を押す突起部９０Ｂ−１が、板部９０Ｂの下端には雲台９０に形成された凹部９２に係合する凸部９０Ｂ−２がそれぞれ形成されている。板部９０Ｂはねじ９１を締め込むことによって板部９０Ａに接近する方向へ移動する（図７（ｂ）参照）。
【００４９】
ねじ９１を締め込んだときに板部９０Ｂに生じる弾性力によって突起部９０Ａ−１，９０Ｂ−１が傾斜面７３に強く押し付けられ、三脚取付部７４の移動が阻止される。
【００５０】
三脚に対する三脚取付部７４の望遠鏡光軸Ｌ方向の位置を変更するには、まずねじ９１を緩めて三脚基板７１が前後方向へ移動できるようにする。次に、三脚基板７１を所定の位置へ移動させる。その後、ねじ９１を締め込んで板部９０Ｂを傾斜面７３に押し付け、三脚基板７１を三脚取付部７４に固定する。このようにして、望遠鏡４１０の重心位置に三脚が装着される。
【００５１】
この実施形態によれば、第１実施形態と同様の効果を奏するとともに、三脚に対する三脚取付部の位置をより自由に設定することができる。
【図面の簡単な説明】
【００５２】
【図１】図１（ａ）はこの発明の第１実施形態に係る望遠鏡の一部を破断して示した側面図、図１（ｂ）は３種類の三脚基板の断面を示す概念図、図１（ｃ）はねじの断面を示す概念図である。
【図２】図２は三脚の雲台に対する三脚取付部の光軸方向の位置を変更したときの望遠鏡の一部を破断して示した側面図である。
【図３】図３は三脚の雲台に対する三脚取付部の光軸方向の位置を変更したときの望遠鏡の一部を破断して示した側面図である。
【図４】図４はこの発明の第２実施形態に係る望遠鏡の一部を破断して示した側面図である。
【図５】図５（ａ）はこの発明の第３実施形態に係る望遠鏡の一部を破断して示した側面図、図５（ｂ）は三脚取付部と三脚基板との固定状態を説明するための断面を示す概念図である。
【図６】図６はこの発明の第４実施形態に係る望遠鏡の一部を破断して示した側面図である。
【図７】図７（ａ）はこの発明の第５実施形態に係る望遠鏡の一部を破断して示した側面図、図７（ｂ）は望遠鏡を三脚の雲台に装着した状態の断面を示す概念図である。
【符号の説明】
【００５３】
１０，１１０，２１０，３１０，４１０：望遠鏡、１１：顕微鏡本体、２１，２６，２７，２８，３１，４１，６１，７１：三脚基板（三脚連結部材）、２２：めねじ（位置変更部材）、２４，３４，４４，６４，７４：三脚取付部（三脚連結部材取付部）、７３：傾斜面（位置変更部材）、８０，９０：雲台。
【図１】
2007047464.tif 000003
【図２】
2007047464.tif 000004
【図３】
2007047464.tif 000005
【図４】
2007047464.tif 000006
【図５】
2007047464.tif 000007
【図６】
2007047464.tif 000008
【図７】
2007047464.tif 000009